(57)【要約】【課題】筆記時の体勢のまま使用者の任意のタイミングで芯の回転動作を誤動作することなく実施できる断面が非真円形状の軸筒を備えた棒状芯繰出具を提供すること。【解決手段】断面が非真円形状に形成された軸筒４の内部に、芯１４を挟持するチャック１１を有する芯繰出機構２０と、操作体７と連動すると共に後カム２１ｂを備えた摺動カム２１と、摺動カム２１の内方に配設された筒状体１３と、筒状体１３に対して回動不能且つ前後動自在に係止された回転子２２と、操作体７係止されたストッパー２３と、を備え、操作体７の後方への移動により、ストッパー２３が軸筒４内を移動することで筒状体１３の後退制限が解除され、且つ、摺動カム２１の後カム２１ｂと回転子２２の前カム２２ｂとがカム嵌合することにより、回転子２２と共にチャック１１が一方向に回転するよう構成する。【選択図】図２
2020055139.tif 000002
【特許請求の範囲】
【請求項１】
横断面が非真円形状に形成された軸筒と、棒状の芯を挟持するチャックと当該チャックに外嵌された締具と当該締具を後方で支持する筒状体とを有する芯繰出機構と、前記軸筒の前部外側部に前後動自在に配設された操作体と、を備え、前記操作体の前後への摺動により前記芯が前方へ繰り出される棒状芯繰出具であって、
前記軸筒の内部に、前記操作体と連動して前後に摺動すると共に後カムを後部に備えた摺動カムと、前記摺動カムの内方に前後動自在に配設された筒状体と、前記摺動カムの後方且つ前記チャックの外方に配設され前記筒状体に対して回動不能且つ前後動自在に係止された回転子と、前記操作体に係止されたストッパーと、を備え、
前記筒状体は、前記ストッパーにより後退移動が制限されると共に当該ストッパーによる制限が解除されることで前記摺動カムと連動して前後動するよう構成され、
前記操作体の後方への移動により、前記ストッパーが前記軸筒内を移動することで前記筒状体の後退制限が解除され、且つ、前記摺動カムの後カムと回転子の前カムとがカム嵌合することにより、前記回転子が前記軸筒に対して一方向に回転し、前記回転子の回転に連動して前記チャックが回転するよう構成したことを特徴とする棒状芯繰出具。
【請求項２】
前記ストッパーに係止突起が形成され、前記係止突起が前記操作体の内面に形成された摺動溝内を摺動するよう係止され、前記操作体の後方への移動により前記係止突起が前記摺動溝内を移動することに伴い、当該ストッパーが前記軸筒の軸方向と直交する方向へ移動することで前記筒状体の後退制限が解除されるよう構成したことを特徴とする請求項１に記載の棒状芯繰出具。
【請求項３】
前記操作体の更なる後方への移動により前記筒状体が後方へ移動し、前記芯繰出機構が作動して当該芯が前方へ繰り出されるよう構成したことを特徴とする請求項１または２に記載の棒状芯繰出具。
【請求項４】
前記軸筒の後方に、当該軸筒に対して着脱自在に装着された後筒体が配設され、
前記後筒体内に、前記芯を収納する芯収容室と、付属具が少なくとも１つ以上装着可能な付属具収納室と、を備えたことを特徴とする請求項１ないし３の何れか１項に記載の棒状芯繰出具。
【発明の詳細な説明】
【技術分野】
【０００１】
本発明は、操作体を操作することにより棒状の芯を前方へ繰出すと共に芯を回転可能な棒状芯繰出具に関する。
【背景技術】
【０００２】
軸筒の内部に、シャープペンシル用の芯、色鉛筆、クレヨン、あるいは固形糊、口紅、アイライナー、アイシャドウまたはリップクリームなど棒状の芯を収容し、該芯の先端部を軸筒より繰り出して先端開口部から当該芯を突出させた状態で紙面などへの筆記や塗布を行なう棒状芯繰出具はよく知られている。
【０００３】
前述した棒状芯繰出具は、芯の繰り出し動作を行い、軸筒内に配設した芯繰出ユニットを作動させて該軸筒の先端開口部から該芯を突出させて使用するものである。
そして、棒状芯繰出具は軸筒の先端から突出した芯で筆記や塗布するものであるため、筆記や塗布を続けると、芯が片減りして筆跡や塗布した際の描線が芯径より幅広になってしまう問題がある。特に、軸筒の横断面が矩形（長方形）のような非真円形である場合は、軸筒の側面が面状となるため、面を指で把持できることからしっかりと把持できる共に力をかけても滑り難いという利点がある反面、軸筒を回転させて自由に把持する位置を決めることができないことから、芯の片減り問題は顕著に作用してしまう。
【０００４】
前述した芯の片減り問題を解決する手段として、例えば、シャープペンシルでは、特許文献１に開示されているように、軸筒内に芯の狭持・解放を行うチャックが配置され、軸筒の後部ないし側部に配置されたノック体を操作することにより、芯の繰り出しと芯を回転させることができ、これにより筆記時の芯の片減りと折損を防止することができる構造が知られている。
【０００５】
特許文献１のシャープペンシルは、ノック部材の押圧操作により芯タンク及び摺動子を移動させ、その摺動子の移動により回転子を回転させ、更に、回転子の回転により芯タンク及び当該芯タンクに固定されたチャックを回転させるよう構成することで、芯の回転と前方へ繰出しとが可能な構造となっている。
【０００６】
しかしながら、特許文献１の構造では、使用者の任意のタイミングでノック部材を押圧操作することで芯の繰り出しと芯の回転動作を行うことができるが、操作部となるノック部材が軸筒の後端または側部にあるため、後端にある場合は筆記時に芯を回転させたいときにシャープペンシルを持ち替えてからノック体を操作することになり手間が掛かるという問題がある。また、ノック部材が軸筒の側部にある場合は、筆記時の体勢のままでもノック体の操作は可能になるものの、筆記時にノック部材に指が触れてしまうと使用者の意図に反して芯が回転したり繰り出し操作がされてしまい。使用者の意に反して筆跡に変化が出たり芯の不用意に突出することで折損が発生する虞があった。また、ノック部材に触れながら筆記すると、チャックが開いた状態で筆記することとなり、筆圧に耐えられずに芯もぐりが発生する虞があった。
【先行技術文献】
【特許文献】
【０００７】
【特許文献１】特開平１１−０４８６８０号公報
【発明の概要】
【発明が解決しようとする課題】
【０００８】
本発明は、前記問題を鑑みてなされたものであって、筆記時の体勢のまま使用者の任意のタイミングで芯の回転動作を誤動作することなく実施できる横断面が非真円形状の軸筒を備えた棒状芯繰出具を提供することを目的とした。
【課題を解決するための手段】
【０００９】
本発明は、
「１．横断面が非真円形状に形成された軸筒と、棒状の芯を挟持するチャックと当該チャックに外嵌された締具と当該締具を後方で支持する筒状体とを有する芯繰出機構と、前記軸筒の前部外側部に前後動自在に配設された操作体と、を備え、前記操作体の前後への摺動により前記芯が前方へ繰り出される棒状芯繰出具であって、
前記軸筒の内部に、前記操作体と連動して前後に摺動すると共に後カムを後部に備えた摺動カムと、前記摺動カムの内方に前後動自在に配設された筒状体と、前記摺動カムの後方且つ前記チャックの外方に配設され前記筒状体に対して回動不能且つ前後動自在に係止された回転子と、前記操作体に係止されたストッパーと、を備え、
前記筒状体は、前記ストッパーにより後退移動が制限されると共に当該ストッパーによる制限が解除されることで前記摺動カムと連動して前後動するよう構成され、
前記操作体の後方への移動により、前記ストッパーが前記軸筒内を移動することで前記筒状体の後退制限が解除され、且つ、前記摺動カムの後カムと回転子の前カムとがカム嵌合することにより、前記回転子が前記軸筒に対して一方向に回転し、前記回転子の回転に連動して前記チャックが回転するよう構成したことを特徴とする棒状芯繰出具。
２．前記ストッパーに係止突起が形成され、前記係止突起が前記操作体の内面に形成された摺動溝内を摺動するよう係止され、前記操作体の後方への移動により前記係止突起が前記摺動溝内を移動することに伴い、当該ストッパーが前記軸筒の軸方向と直交する方向へ移動することで前記筒状体の後退制限が解除されるよう構成したことを特徴とする前記１項に記載の棒状芯繰出具。
３．前記操作体の更なる後方への移動により前記筒状体が後方へ移動し、前記芯繰出機構が作動して当該芯が前方へ繰り出されるよう構成したことを特徴とする前記１項または２項に記載の棒状芯繰出具。
４．前記軸筒の後方に、当該軸筒に対して着脱自在に装着された後筒体が配設され、
前記後筒体内に、前記芯を収納する芯収容室と、付属具が少なくとも１つ以上装着可能な付属具収納室と、を備えたことを特徴とする前記１項ないし３項の何れか１項に記載の棒状芯繰出具。」である。
【００１０】
本発明における横断面が非真円形状の軸筒とは、横断面が矩形（長方形）や楕円形状等を含み、また、矩形の場合は各角部にＲ加工（丸め加工）を施した略矩形状のものを含むものとする。そして、本発明では、横断面における中心軸の縦横比が異なる軸筒を使用した場合、軸筒の把持位置（回転方向）が限定されることから本発明の効果が顕著となるため好ましい。
【００１１】
本発明の棒状芯繰出具によれば、操作体が軸筒の前部外側部に配置してあるため、筆記時の状態のまま持ち替えることなく、任意のタイミングで操作体を移動させることでチャックとチャックに狭持されている芯を回転させることができる。また、その動作は軸筒に対して操作体を後方へ移動することにより行っており、一方で、筆記時において軸筒を把持している手には筆圧を筆記先端側にかけるために前方側に力が掛かっている。このため、筆記時に指が操作体に接触しても操作体には後方への力が殆ど掛かることがなく、操作体が後方へ移動することはないことから、誤動作により使用者の意に反して芯が回転されることを防止することができる。更に、操作体を筆記時には前進しないよう構成にすることで、操作体が筆記時の指の支えになるよう形成してもよい。
また、操作体に係止したストッパーにより筒状体の後退を制限することで、筆記記時の筆圧により芯を介してチャックに後方への負荷が掛かった際、筒状体によりチャックの後退が支持されるため、チャックによる芯の狭持力を超えない範囲で芯の後退を防止することができる。
【００１２】
また、操作体の後方への移動（操作体の一段階目の後退）により、ストッパーが軸筒内を移動することで筒状体の後退可否が切り替わるとともに、回転子と共にチャックが軸筒に対して一方向に回転することで、チャックに把持されている芯を回転させることができるため、筆記することにより芯が片減りしても使用者の任意のタイミングで芯を回転させことができる。このため、筆記時の筆跡や描線が芯径以上に太くなるのを防止することができる。
特に、本発明の棒状芯繰出具は軸筒の横断面が非真円形であるため、筆記時に軸筒を回転させることが困難になることから、筆記を続けると芯の片減りが発生し易い。このため、使用者が任意のタイミングで芯を一定量ずつ回転させることが可能な本発明の構造は、利便性が飛躍的に向上する。尚、筆記時に軸筒を持ち替えて回転させることが困難な横断面が矩形状のような軸筒を用いる場合には前記効果は顕著に作用するものとなる。
【００１３】
そして、操作体の１回の後退動作で芯が回転する回転角度は、摺動カムの後カム及び回転子の前カムの形状や大きさ等で変化するため、１度に芯を何度回転させるかは任意に決定することが可能である。
尚、本発明においては、１度に回転する角度が小さいと芯の片減りを解消する効果が小さく、回転する角度が大きすぎると芯のエッジ部で筆記する場合が発生し、芯が欠けたり折れやすくなることから、操作体を１回後退させることで芯が回転する回転角度は、３０°以上１８０°以下が好ましく、６０°以上、１５０°以下とすることがより好ましい。
【００１４】
また、本発明のストッパーにより筒状体の後退可否を制限する手段としては、ストッパーに形成した係止突起が操作体の内面に形成した摺動溝内を摺動するよう係止し、操作体の後方への移動により係止突起が摺動溝内を移動することに伴い、ストッパーが軸筒の軸方向と直交する方向へ移動することで筒状体の後退制限が解除されるよう構成してもく、この場合、操作体を後方へ移動しない限り筒状体の後退を制限するストッパーが解除されないため、筆記時に筆圧が掛かった際、チャックと締具が筒状体により支持され、チャックによる芯の狭持力が確保されるため、芯の後退を防ぐことができる。
【００１５】
更に、操作体の更なる後方への移動（２段階目の後退）により、摺動カムと筒状体とが連動して後方へ移動し、芯繰出機構が作動して芯が前方へ繰り出されるように構成してもよく、この場合、１段階目で操作体の後方への移動を止めることで芯を繰出さずに回転動作だけをすることができる。このため、芯の回転時に不必要に芯を繰出されることがなく、芯が棒状芯繰出具から突出しすぎることがないため芯の折損を防止することができる。
【００１６】
また、本発明では、操作体が軸筒の前部外側部に配設され、摺動カムとストッパーは操作体に連動して移動するよう形成され、摺動カムの内方には芯繰出機構が配設され、摺動カムの後方に回転子を配設して構成されることから、軸筒の前部に必要な構造体の殆どが集中する。このため、軸筒の後部の装着する後筒体には最低限、替芯用の収容部が形成されればよく、他のスペースは自由に使用することが可能となる。更に、本発明では、横断面が非真円形状の軸筒を用いているため、後筒体を軸筒と略同形状で形成した場合、後筒体に形成される空きスペースに、様々な付属具を装着することができる付属具収納室を設けてもよい。
前述した後筒体の付属具収納室に装着する付属具は、特に限定されることはなく装着可能な数や形状を自由に設定することが可能であるが、例えば、本発明の棒状芯繰出具をシャープペンシルや色鉛筆の繰出具等の筆記具に用いる場合、一般的な横断面が矩形状の消しゴムを付属具装着部に装着してもよく、多数の替芯が収容された替芯ケースを直接装着できるように構成してもよく、マーカーやボールペンなどの別の筆記具を装着できるように構成してもよく、修正テープ、折りたたみ式のハサミ、付箋等の文具を装着できるよう構成してもよい。また、本発明の棒状芯繰出具を口紅、アイライナー、アイシャドウ等の棒状芯を繰出し可能なメイク用の繰出具に用いる場合には、付属具装着部にメイク時の仕上げを助けるリップブラシやメイクチップ等を装着または収納できるよう構成してもよい。更に、その他としては、付属具装着室に電池を収容することで、後筒体が暗視用のライトや警報ブザー、時計、歩数計、携帯用充電器等の機能を有するように構成してもよい。
【発明の効果】
【００１７】
本発明により、筆記時の体勢のまま使用者の任意のタイミングで芯の回転動作を誤動作することなく実施できる横断面が非真円形状の軸筒を備えた棒状芯繰出具を提供することができた。
【図面の簡単な説明】
【００１８】
【図１】実施例１の棒状芯繰出具の側面図である。
【図２】図１の棒状芯繰出具の縦断面図である。
【図３】図２の棒状芯繰出具の要部を拡大した拡大縦断面図である。
【図４】図２のＺ−Ｚ線における拡大断面図である。
【図５】軸筒内の主な部品を分解した分解図である。（一部分解せずに表示）
【図６】図２の状態から操作体を後退（１段階目の後退動作）した状態の要部を拡大した拡大縦断面図である。
【図７】図６の状態から更に操作体を後退（２段階目の後退動作）した状態の要部を拡大した拡大縦断面図である。
【図８】操作体を後方へ移動させる際の軸筒（前筒体）の後方カムと摺動カムの後カムと回転子の前カムの関係を示す展開図であり、図８（Ａ）は操作体を動かす前（図２）の静止状態を示しており、図８（Ｂ）は操作体を一段階後方へ移動した状態（図６）を示しており、図８（Ｃ）は操作体を二段階後方へ移動した状態（図７）を示しており、図８（Ｄ）は、操作体を基の位置（図３）まで戻した状態を示した図である。
【図９】本発明の変形例１を示した縦断面図である。
【図１０】本発明の変形例２を示した縦断面図である。
【００１９】
次に図面を参照しながら、本発明の棒状芯繰出具をシャープペンシルを用いて詳細に説明するが、本発明は以下の実施例に限定されるものではない。
また、本実施例では、軸筒の長手方向において、前筒体がある方を前方と表現し、その反対側を後方と表現する。更に、軸筒の軸径方向において、チャックがある方を内方と表現し、その反対側を外方と表現する。
尚、説明を分かりやすくするために、図面中の同様の部材、同様の部分については同じ符号を付してある。
【００２０】
実施例１
図１は実施例１のシャープペンシル１（棒状芯繰出具）の側面図でり、図２は図１の縦断面図であり、図３は図２の要部を拡大した拡大縦断面図であり、図４は図２のＺ−Ｚ線における横断面図であり、図５は軸筒内に配置される各部品の分解図（一部は分解せずに表示）である。図１から図４に示すように、シャープペンシル１は、横断面が略矩形状に形成された前軸２と、前軸２の前部に着脱不能に係着された前筒体３とで軸筒４が構成され、前軸２の後部に前軸２と略同形の横断面を備えた後筒体５が着脱自在に装着され、後筒体５には消しゴム６が装着され、前軸２の前部外側部には前軸２（軸筒４）に対して前後動自在に係止された操作体７を装着し、前筒体３の前端開口部３ａには、内部に芯保持部材８を備えた先口部材９が前後動自在に挿入され、先口部材９の後部にはチャックユニット１０を螺着して構成してある。
【００２１】
前軸２について詳述すると、図３及び図４に示すように、前軸２は横断面における各角部にＲ加工（丸め加工）を施した略矩形状（横断面における中心軸の縦横比が約１：２）に形成してあり、長手方向に沿って貫通する内孔２ａを形成してある。また、前軸２の前部外側部には切欠部２ｂを形成してあり、切欠部２ｂの端部から内孔２ａに平行して延びるように形成され、横断面が非円形状に形成した有底の前穴２ｃを設けてある。更に、前軸２の後部には、後端から前方へ向って後部凹状部２ｄが形成してある。
そして、内孔２ａの後部には内段部２ｅと後部雌螺子部２ｆを形成してあり、内孔２ａの側面には内溝２ｈ（図４参照）を形成してある。また、前穴２ｃの内側面には長手方向に沿って延びるレール突起２ｇが形成してある。
【００２２】
前筒体３について詳述すると、図３及び図５に示すように、前筒体３は前軸２の内孔２ａの前部に着脱不能且つ回動不能に係着してある。また、前筒体３は筒状に形成され、その後端には、軸周方向に延び前方及び後方に向って交互に傾斜するカム斜面３ｃを備えた後方カム３ｂが形成してある。
【００２３】
また、図３に示すように、前軸２（軸筒４）の内方には、頭部１１ａが３分割された黄銅製のチャック１１が配設してある。そして、チャック１１の頭部１１ａを覆うように筒状の締具１２が外嵌され、締具１２の後部に当接するように筒状の筒状体１３を配設してある。
更に、チャック１１の頭部１１ａの外周部は前方へ向って拡径するようにテーパ状に形成してあり、頭部１１ａに締具１２を外嵌している状態では、頭部１１ａの内周部でシャープペンシル用の芯１４を狭持するよう構成してある。そして、チャック１１の頭部１１ａに締具１２を外嵌していない状態では、頭部１１ａが互いに離間して開くように形成してあり、その状態では頭部１１ａで芯１４の狭持状態が解除されるよう構成してある。
【００２４】
また、図３に示すように、筒状体１３の中央外周部には雄螺子部１３ａが形成してあり、筒状体１３の後部外周部には外方へ向って周状に突出する後方段部１３ｂが形成してある。
【００２５】
チャック１１の後部には筒状の連結体１５を圧入装着してあり、連結体１５の後部には内パイプ１８を圧入装着してあり、内パイプ１８の後部内孔から入った芯１４が内パイプ１８連結体１５とを通ってチャック１１内に入るようにしてある。
【００２６】
また、連結体１５の後方には筒状の中駒１６が配設され、中駒１６の外周部に雄螺子部１６ａを形成し、雄螺子部１６ａと前軸２の後部雌螺子部２ｆとを螺着することで中駒１６を前軸２に固定してある。
更に、筒状体１３の内段１３ｃと連結体１５の前端部との間にチャックスプリング１７を張架してあり、チャックスプリング１７により連結体１５及び連結体１５に圧入されたチャック１１を後方へ弾発してある。
【００２７】
先口部材９について詳述すると、図３から図５に示すように、先口部材９の軸方向に貫通する内孔を形成してあり、その前端には芯１４が挿通する前端開口部９ａを形成してある。また、先口部材９の後部内孔には雌螺子部９ｂを形成してあり、雌螺子部９ｂと筒状体１３の雄螺子部１３ａとを着脱自在に螺着することで先口部材９と筒状体１３とを固定してある。そして、先口部材９の後部外周部には外方へ向って周状に突出する後部外段部９ｃが形成してあり、後部外段部９ｃには更に外方へ向って突出し軸方向に沿って延びるレール部９ｄが軸周に沿って均等に４箇所形成してある。更に、後部外段部９ｃの後端には更に外方へ向って周状に突出する後方鍔部９ｅを形成してある。
また、先口部材９の前部内孔にはニトリルゴムで形成され芯１４を軽い力で保持（本実施例では１０ｇ程度）する芯保持部材８を圧入して固定してある。
【００２８】
ここで、チャック１１と締具１２と筒状体１３と連結体１５とチャックスプリング１７と内パイプ１８と、でチャックユニット１０が構成され、チャックユニット１０と先口部材９と芯保持部材８とで芯繰出機構２０が構成される。
【００２９】
また、図３から図５に示すように、筒状体１３の外方には筒状の摺動カム２１が前後動自在に装着してある。また、摺動カム２１の外周部には外方へ向って突出する突状部２１ａが形成してあり、突状部２１ａを前軸２の切欠部２ｂ側の側面に長手方向へ延びるように形成されたスリット部に挿入してある。これにより、摺動カム２１は前軸２に対して回動不能に係止される。
更に、摺動カム２１の後端部には軸周方向に延び前方及び後方に向って交互に傾斜するカム斜面２１ｃを備えた後カム２１ｂを形成してある。そして、後カム２１ｂと前軸２の後方カム３ｂとが軸周方向に約半位相分（本実施例では約４５°）ずれた状態で各々のカム部を形成してある。
尚、摺動カム２１の前端は、前筒体５の内段に当接することで図２及び図３の状態では、前進できないようにしてある。
【００３０】
操作体７について詳述すると、操作体７は前述したように前軸２の前部に形成された前穴２ｃから挿入して装着してあり、操作体７の内部には、長手方向に沿って延びる摺動溝７ａを形成してある。また、摺動溝７ａは、操作体７の前部から長手方向に沿って延びる縦溝７ａ１と縦溝７ａ１の後部に連接して形成され、チャックユニット１０側に傾斜して延びる傾斜溝７ａ２と、で構成してある。更に、操作体７の前部は後方側に凹むように湾曲して形成してあり、操作体７を操作する際に指が前部にフィットすることで滑り難くなるよう形成してある。
【００３１】
そして、操作体７の前部側面には穴状の装着部７ｂを形成してあり、装着部７ｂに摺動カム２１の突状部２１ａを挿入してある。また、操作体７の側面には、長手方向に沿って延びる凹状のレール溝７ｃ（図４参照）を形成し、レール溝７ｃを前軸２の内側面に軸方向に沿って延びるように形成したレール突起２ｇに挿入することで、操作体７が摺動カム２１と共に前軸２（軸筒４）に対して前後動自在且つ回動不能に係止してある。  
【００３２】
また、摺動カム２１の後端と先口部材９の後方鍔部９ｆとの間には、筒状の回転子２２が挿入してあり、回転子２２は、前軸２に対して回動可能に挿入されると共にその内周部には軸方向に沿って延びる溝状部２２ａ（図４参照）が軸周上に４箇所均等配置するよう形成してある。更に、溝状部２２ａには先口部材９のレール部９ｄを挿入することで、回転子２２を先口部材９及び先口部材９が螺着された筒状体１３に対して回動不能且つ前後動可能に係止してある。
尚、回転子２２の前端部には軸周方向に延び前方及び後方に向って交互に傾斜するカム斜面２２ｃを備えた前カム２２ｂを形成してあり、前カム２２ｂを前軸２の後方カム３ｂ及び摺動カム２１の後カム２１ｂの双方とカム嵌合するよう構成してある。
【００３３】
回転子２２の後方には、カラー１９が回転子の後端と当接する状態で挿入してあり、カラー１９の後端と前軸２の内段部２ｅとの間にノック用スプリング２４を張架することで、前軸２に対して回転子２２を前方へ向って弾発してある。尚、カラ−１９の側面には前端から後方へ延びるスリット部１９ｂが形成してある。
【００３４】
また、図３に示すように、前軸２の切欠部２ｂには、内孔２ａまで貫通する側穴２ｉを形成してあり、側穴２ｉには筒状体１３の後退を制限するストッパーとなる板状片２３を挿入してある。尚、側穴２ｉは板状片２３が前軸２の長手方向に対して直交する方向にのみ摺動するよう形成してあり、操作体７が最前進した図３の状態では、先口部材９の後端に当接するように配置され、先口部材９と共に筒状体１３の後退を制限してある。
そして、板状片２３の側部には操作体の摺動溝７ａに摺動自在に係止される円筒状の摺動突起２３ａを形成することで、操作体７の前後への移動により板状片２３が前軸２の長手方向に対して直交する方向に摺動し、筒状体１３の後退可否が切り替わるように構成してある。
【００３５】
次に、図１及び図２を用いて後筒体５について詳述する。前述したように後筒体５は、断面が前軸２（軸筒４）と略同形の矩形状に形成してあり、前部に小形に形成した装着部５ａを前軸２の後部凹状部２ｄに着脱自在に装着してある。
また、内部には長手方向に貫通する断面が略矩形状の内孔部５ｂが形成され、内孔部５ｂの前部には替芯が収容される芯収容室５ｃを形成すると共に、後部には断面が矩形状の消しゴム６が着脱自在に装着される付属品収容部５ｄを形成してある。更に、芯収容室５ｃの前部は、内パイプ１８に向って傾斜する傾斜部５ｅを形成することで、芯収容室５ｃ内の芯１４が内パイプ１８を通してチャックユニット１０内に誘導されるよう構成してある。そして、消しゴム６はケース６ａに収納され状態で装着してある
【００３６】
尚、本実施例では、上述したように付属品収容部５ｄを矩形状に形成しているため、断面が矩形状の一般的な消しゴムを装着可能となる。このため、通常のシャープペンシルのように小径に加工した消しゴムではないことから、十分な強度を確保できるため、一般的なシャープペンシルと比較して消しゴムの折損を防止できると共に消しゴムによる筆跡の消去性を向上させることができる。
【００３７】
次に、図２、図３及び図６から図８を用いて、図３の状態のシャープペンシル１の操作体７を操作（後退動作）することで、芯１４が回転し、更に芯１４が前方へ繰出される状態を説明する。
図２及び図３の状態から、シャープペンシル１を把持し、ノック用スプリング２４の弾発力に抗して指で操作体７を後方へ移動（１段階目の後退動作）させると、操作体７と共に操作体７に係止されている摺動カム２１も後方へ移動する。この際、摺動カム２１の後カム２１ｂと前筒体３の後方カム３ｂと回転子２２の前カム２２ｂの関係は図８（Ａ）の状態から図８（Ｂ）の状態へ移行する。詳述すると、摺動カム２１が後退することで摺動カム２１の後カム２１ｂと回転子２２の前カム２２ｂとが当接し、後カム２１ｂに押されて回転子２２が後方へ移動するが、回転子２２の前カム２２ｂと前筒体３の後方カム３ｂとがカム嵌合しているため、回転子２２は後退しつつ前カム２２ｂと後方カム３ｂとの間に生じた隙間分のみ摺動カム２１のカム斜面２１ｃに沿って図８（Ａ）の左方向（軸後方から視て時計回り方向）へ回転する。そして、前筒体３の後方カム３ｂと回転子２２の前カム２２ｂとが完全に離れると、図８（Ｂ）の位置までカム斜面２１ｃに沿って回転子２２が回転する。そして、回転子２２が回転すると、回転子２２と回動不能に係止している先口部材９が回転し、更に先口部材９と螺合している筒状体１３も同方向に同時に回転する。また、チャック１１はチャックスプリング１７により後方へ弾発されているため、チャック１１の頭部１１ａは締具１２を介して筒状体１３の前端部に押圧されている。このため、チャック１１と締具１２とチャック１１に狭持されている芯１４とがチャック１１と共に同方向に回転する。つまり、回転子２２の回転に伴って芯繰出機構２０が芯１４と共に軸筒４に対して回転する。尚、前述したように、前筒体３の後方カム３ｂと摺動カム２１の後カム２１ｂは半位相分ずれているため、図６及び図８（Ｂ）の状態では芯１４は図３の状態から半位相分（本実施例では約４５°）のみ回転した状態となる。
【００３８】
この際、板状片２３の摺動突起２３ａは、操作体７の摺動溝７ａの傾斜溝７ａ２から図６に示すように縦溝７ａ１の端部に移動し、それに合わせて板状片２３は前軸２の側穴２ｉに沿って前軸２の長手方向に対して直交する方向（操作体７側）に移動する。これにより、板状片２３と先口部材９との当接状態が解除され、先口部材９と共に筒状体１３が後方へ移動可能な状態となる。尚、操作体７の縦溝７ａ１は前軸２の長手方向と同方向に延びるように形成しているため、板状片２３の摺動突起２３ａが操作体７の縦溝７ａ１内を摺動している間は板状片２３は移動することがないよう構成してある。
また、回転子２２が回転する際、回転子２２とノック用スプリング２４との間にカラー１９を配置してあり、カラー１９は前軸２に対して回動不能に装着してあるため、回転子２２が回転した際にノック用スプリング２４に捻転力が伝わることがなく、ノック用スプリング２４が捻られて破損または弾発力が変化することを防止することができる。
【００３９】
ここで更に、操作体７を後方へ移動（２段階目の後退動作）させると、摺動カム２１に押された回転子２２の後端と先口部材９の後方鍔部９ｆとが当接し、ノック用スプリング２４及びチャックスプリング１７の弾発力に抗して先口部材９とともに筒状体１３は後方へ移動する。
この際、筒状体１３の後退に伴い芯繰出機構２０は全体で後退しようとするが、連結体１５の後端と中駒１６の内段１６ｂとが当接することで、連結体１５と共に連結体１５に装着されているチャック１１と内パイプ１８と締具１２とチャック１１に狭持されている芯１４とが同時に後退を停止し、芯繰出機構２０を構成するその他の構成部品は後方へ移動する。そして、先口部材９が後退すること、先口部材９の内方段部９ｆと締具１２の前端が当接し、先口部材９に押されて締具１２も後退する。これによりチャック１１の頭部１１ａから締具１２が外れると、締具１２が後方へ移動した分、チャック１１の３つの頭部１１ａは拡径して互いに間隔を開いた図７及び図８（Ｃ）の状態となり、チャック１１による芯１４の狭持状態が解除される。
尚、先口部材９が後退した際、芯保持部材８は軽い力（約１０ｇ程度）でしか芯１４を保持していないため、芯保持部材８は芯１４の表面を滑るように移動し、芯１４にダメージを与えることはない。
【００４０】
ここで、操作体７に対する後方への押圧（操作体７の後退状態）を解除すると、ノック用スプリング２４及びチャックスプリング１７の弾発力で先口部材９及び筒状体１３が前進する。この際、チャック１１は芯１４を狭持していないため、先口部材９は芯１４を保持したまま前進し、芯１４をチャック１１から前方へ相対的に引き出す。そして、筒状体１３に押されて前進した締具１２がチャック１１の頭部１１ａを再び締め付け、芯保持部材８の芯保持力をチャック１１の芯狭持力が越えると芯１４の前方への相対的な移動が停止される。
更に、操作体７及び筒状体１３が前進し、操作体７の摺動溝７ａの縦溝７ａ１を摺動していた板状片２３（ストッパー）の摺動突起２３ａが縦溝７ａ１と傾斜溝７ａ２との境目に到ると、回転子２２と前軸２及び摺動カム２１とのカム嵌合は図８（Ｃ）の状態から図８（Ｂ）の状態に戻り、更に摺動カム２１が前進して、摺動カム２１の後カム２１ｂと回転子２２の前カム２２ｂとの当接状態が外れると、その隙間分回転子２２は前筒体３の後方カム３ｂのカム斜面３ｃに沿って図の左側（軸後方から視て時計周り方向）に回転し、最終的にノック前の図３の状態まで戻ったときには、図８（Ｄ）のように回転子２２は前軸２の後方カム３ｂの１位相分回転した状態となり、同時に芯１４も１位相分（本実施例では約９０°）回転した状態となる。また、先口部材９は、芯保持部材８が小さい力（約１０ｇ）でしか芯１４を保持していないため、芯１４の前進が終了した後も前進を続けるが、芯保持部材８で芯１４を引き出した分、最終的には芯１４は回転しつつ前方へ繰出された状態となる。
尚、本発明において１回の操作体の後退動作で芯が回転する角度は、１度に回転する角度が小さいと芯の片減りを解消する効果が小さく、回転する角度が大きすぎると芯のエッジ部で筆記する場合が発生し、芯が欠けたり折れやすくなることから、操作体を１回後退させることで芯が回転する回転角度は、３０°以上１８０°以下が好ましく、６０°以上、１５０°以下とすることがより好ましい。
【００４１】
尚、操作体７の後方への押圧動作を１段階目の後退動作で中止し、操作体７への押圧を解除した場合、図６の状態から図３の状態に戻り、芯１４は前方への繰り出されることはなく、回転動作のみが行われ、芯１４を前軸２の後方カム３ｂの１位相分（約９０°）回転した状態となる。
このため、本実施例では操作体７の後退動作を１段階目やめることで、芯１４を前方へ繰出すことなく回転させることができる。また、芯１４を回転させたいときに不必要に芯１４を繰出さないようにできることから芯１４の繰り出し過剰による芯１４の折損を防止することができる。更に、芯１４の回転動作は操作体７の後方への押圧動作により行われるため、筆記時に指が操作体７に接触しても指には筆記するために軸筒４の前方側に力をかけていることから操作体７に後方への力が掛かることは殆どない。このため、使用者の意に反して筆記時に芯１４が回転することや芯が前方へ繰り出されることがなく、筆記時にチャック１１の頭部１１ａが開くことにより芯１４が後方へ沈むことを防止できる。
また、操作体７を摺動カム２１に着脱不能に係止しているため、筆記状態である図２及び図３の状態では操作体７に前方への力が掛かっても前進することはない。このため、筆記時において、操作体７が軸筒４を把持した際の支えになることから、操作体７の側面に形成した突起部７ｄに指を掛けることで力を掛けても滑り難く、筆記し易くなった。
【００４２】
また、芯１４の繰り出し動作を行いたくないときに、操作体７の後退動作を１段階目で確実に止めることができるように、操作体７の位置により１段階目の後退範囲と２段階目の後退範囲が判るように軸筒４や操作体７に目印を設けてもよく、操作体７の後退時の感触の変化で１段階目から２段階目に入ったことが判るようにしてもよい。本実施例の場合は、操作体７の後退が１段階目から２段階目にはいると、チャックスプリング１７の弾発力分、操作体７を後方へ移動させるのに必要な押圧力が急に増えるため後退時の感触の変化で２段階目に入ったことを認識できるよう構成すると共に、回転子２２の前カム２２ｂが前筒体３の後方カム３ｂから摺動カム２１の後カム２１ｂに完全に移動した際に発生する前カム２２ｂと後カム２１ｂとの接触音と、接触音が発生した際に軸筒４を把持している手に伝わる微弱な振動と、が同時に使用者に伝わるようにしてあるため２段階目に入ったことをより認識し易いよう構成してある。
【００４３】
更に、本実施例では、板状片２３（ストッパー）の解除手段を操作体７の後方への移動に伴い板状片２３が軸筒４の長手方向に対して直交する方向へ移動することで解除されるよう構成しており、ストッパーを移動させる手段は、前述したように、操作体７内に形成した摺動溝７ａと板状片２３の摺動突起２３ａとを摺動自在に係止することで構成してある。このため、ストッパー機能を芯繰出機構２０の側部に平行して形成できることから、本発明のように軸筒の断面を略矩形状とした場合は、芯繰出機構２０の側部にあるスペースを無駄なく使用することができる。そして、本発明に必要な構成を軸筒４の前部側に集中させることが可能になることから、軸筒４の後部に装着する後筒体５には芯収容室５ｃ以外は自由に形成することができるため、後筒体５を長く形成することなく大きな付属品収納室５ｄを形成することが可能となり、付属品収納室５ｄには本実施例で示した消しゴム以外にも様々な付属物を装着することができる。また、本実施例の場合、後筒体５の芯収容室５ｃも大きく形成することが可能となるため、芯収容室５ｃには多くの替芯が収容可能となものとなった。尚、消しゴム６を使用する際は付属品収納室５ｄに装着したまま使用してもよく、外して使用してもよいが、外して使用する場合はケース６ａを消しゴム６から外して付属品収納室５ｄに装着することで芯収容室５ｃ内の替芯が外部へ出てしまうことを防止することができる。
【００４４】
また、本実施例の変形例１として、図９に示すように、後筒体に芯を収納する替芯ケースを直接装着してもよく、本変形例１では、シャープペンシル１００の後部に装着される後筒体１０５には、回転することで内部に収容した芯１４の取出口が開閉可能な公知のシャープペンシル用の替芯ケースＸが直接装着可能な第一付属品収納部１０５ｄ１が形成してある。そして、芯の取出口を開いた状態で替芯ケースＸを付属品収容部１０５ｄに挿入した際に、芯の取出口を前軸２に螺着した内パイプ１８の後部内孔に隣接するよう構成することで、後筒体１０５の内部には芯収容部１０５ｃが形成される形となり、替芯ケースＸから替芯を内パイプ内に入れることができる。
尚、替芯ケースＸの後方に形成した第二付属品収容部１０５ｄ２には、消しゴム１０６
を装着することで利便性を向上させてある。
【００４５】
また、変形例１では、替芯ケースＸの芯の取出口を閉じた状態でも装着可能に構成してあるため、非使用時には替芯ケースＸ内から内パイプ１８内に芯が供給することがなくなるため、芯１４の折損、移動時の振動により不必要に芯１４が供給されなくなり芯詰まりの発生を防止できる。
尚、変形例１の場合、より使い勝手が向上するように、替芯ケースＸの芯の取出口が付属品収容部１０５ｄに装着した状態で開閉可能に構成するとよい。
【００４６】
また、本実施例の変形例２として、図１０に示すように、後筒体にボールペンを装着できるよう構成し両頭式の筆記具に構成してもよく、本変形例２では、シャープペンシル２００の後部に装着される後筒体２０５の内孔２０５ｂに、芯収容室２０５ｃと芯収容室２０５ｃの後部を塞ぐように消しゴム２０６を装着してあり、芯収容室２０５ｃの側部にはボールペンＹが着脱自在に装着可能な付属品収納室２０５ｄを設けてある。
そして、変形例２では、シャープペンシル２００を逆さに持ち替えることで、ボールペンでの筆記も可能であると共に、ボールペンＹを付属品装着室２０５ｄから離脱させることで普通のボールペンとして使用可能になる他、ボールペンＹの前後を逆にして付属品装着室２０５ｄに装着することで、携帯時にペン先の破損及で乾燥を防ぐと共に他の物品を汚すことを防止するためのキャップとして機能させることもできる。
【産業上の利用可能性】
【００４７】
本発明の棒状芯繰出具は、シャープペンシルや色鉛筆、クレヨンなどの筆記具に限定されること無く、口紅、アイライナー、アイシャドウ、リップクリームなどの化粧用品や医療用器具などに広く使用可能である。
【符号の説明】
【００４８】
１…シャープペンシル（棒状芯繰出具）、
２…前軸、２ａ…内孔、２ｂ…切欠部、２ｃ…前穴、２ｄ…後部凹状部、
２ｅ…内段部、２ｆ…後部雌螺子部、２ｇ…レール突起、２ｈ…内溝、
２ｉ…側穴、
３…前筒体、３ａ…前端開口部、３ｂ…後方カム、３ｃ…カム斜面、
４…軸筒、
５…後筒体、５ａ…装着部、５ｂ…内孔部、５ｃ…芯収容室、５ｄ…付属品収容室、
５ｅ…傾斜部、
６…消しゴム、６ａ…ケース、
７…操作体、７ａ…摺動溝（７ａ１…縦溝、７ａ２…傾斜溝、）、７ｂ…装着部、
７ｃ…レール溝、７ｄ…突起部、
８…芯保持部材、
９……先口部材、９ａ…前端開口部、９ｂ…雌螺子部、９ｃ…後部外段部、
９ｄ…レール部、９ｅ…後方鍔部、９ｆ…内方段部、
１０…チャックユニット、
１１…チャック、１１ａ…頭部、
１２…締具、
１３…筒状体、１３ａ…雄螺子部、１３ｂ…後方段部、１３ｃ…内段、
１４…芯、
１５…連結体、
１６…中駒、１６ａ…雄螺子部、１６ｂ…内段、
１７…チャックスプリング、
１８…内パイプ、
１９…カラー、１９ａ…突起、１９ｂ…スリット部、
２０…芯繰出機構、
２１…摺動カム、２１ａ…突状部、２１ｂ…後カム、２１ｃ…カム斜面、
２２…回転子、２２ａ…溝状部、２２ｂ…前カム、２２ｃ…カム斜面、
２３…板状片（ストッパー）、２３ａ…摺動突起、
２４…ノック用スプリング、
１００…シャープペンシル（棒状芯繰出具）、
１０５…後筒体、１０５ｃ…芯収容室、１０５ｄ１…第一付属品収容室、
１０５ｄ２…第二付属品収容室、
１０６…消しゴム、
２００…シャープペンシル（棒状芯繰出具）、
２０５…後筒体、２０５ｄ…付属品収容室、
２０６…消しゴム、
Ｘ…替芯ケース、
Ｙ…ボールペン。
【図１】
2020055139.tif 000003
【図２】
2020055139.tif 000004
【図３】
2020055139.tif 000005
【図４】
2020055139.tif 000006
【図５】
2020055139.tif 000007
【図６】
2020055139.tif 000008
【図７】
2020055139.tif 000009
【図８】
2020055139.tif 000010
【図９】
2020055139.tif 000011
【図１０】
2020055139.tif 000012